(57)【要約】【課題】「メンテナンスコントローラ」の機能をエレベータ制御用主基板に取り込むことにより、パラメータ設定時の操作性を向上させ得るとともにエレベータ制御システムのコストを削減し得るエレベータ制御用主基板を提供する。【解決手段】エレベータ制御システムに用いるエレベータ制御用主基板１は、その上端部に、各種パラメータの設定および各種エレベータ動作制御に用いる、十字状に配列した５つのスイッチ９Ｕ，９Ｄ，９Ｒ，９Ｌ，９Ｃから成るスイッチ群９と、スイッチ群９の操作時のパラメータ設定状況およびエレベータ動作状況をモニタし得る横長長方形状のＬＣＤパネルより成るディスプレイ１０とが設けられており、エレベータ制御用主基板上のスイッチ群９およびディスプレイ１０のみを用いて各種パラメータを設定できるように構成されている。【選択図】図１
0003122296.tif 000002
【実用新案登録請求の範囲】
【請求項１】
エレベータ制御システムに用いるエレベータ制御用主基板であって、
前記エレベータ制御用主基板の端部に、各種パラメータの設定および各種エレベータ動作制御に用いるスイッチ群と、前記スイッチ群の操作時のパラメータ設定状況およびエレベータ動作状況をモニタし得るディスプレイとを設けたことを特徴とするエレベータ制御用主基板。
【請求項２】
前記端部は前記エレベータ制御用主基板の上端部であり、前記スイッチ群は十字状に配列した５つのスイッチから成り、前記ディスプレイは横長長方形状のＬＣＤパネルであることを特徴とする請求項１記載のエレベータ制御用主基板。
【請求項３】
前記エレベータ制御用主基板は、外部機器との信号入出力インターフェース部分を外部に設けたリレー基板に移設することにより、基板サイズおよび基板内配線量を削減したものであることを特徴とする請求項１または２記載のエレベータ制御用主基板。
【請求項４】
前記エレベータ制御用主基板は、前記ディスプレイを切り離したときは動作不能になるように構成されていることを特徴とする請求項１〜３の何れか１項記載のエレベータ制御用主基板。
【考案の詳細な説明】
【技術分野】
【０００１】
本考案は、エレベータ制御システムの制御盤内に搭載して使用するエレベータ制御用主基板に関するものである。
【背景技術】
【０００２】
エレベータ制御用主基板は、エレベータ制御システムの主要な構成要素であり、通常、屋上等に設置されている制御盤内に搭載されている。エレベータ制御システムでは、エレベータの各種タイマーや階床数等の各種パラメータを設定する際には、制御盤内に搭載されているエレベータ制御用主基板に対して各種パラメータの所望のパラメータ値を入力する必要がある。そのような入力を行う際には、例えば「メンテナンスコントローラ」という外部入力装置を使用する。
【０００３】
「メンテナンスコントローラ」は、図４に示すように、筺体５１の上部に所定文字数の表示領域を有するディスプレイ５２を設けるとともに、筺体５２のディスプレイ５２の下部に、０〜９のキーから成るテンキー５３と、上下左右４方向の矢印から成る矢印キー群５４と、エンター（ＥＮＴ）キー５５と、エスケープ（ＥＳＣ）キー５６等を設けたものであり、例えば縦１５ｃｍ×横８ｃｍ×厚さ３ｃｍ程度の大きさに構成されている。上記各種キーを操作することによって所望のパラメータ値を入力するとともに、ディスプレイ５２によって入力後のパラメータ値を確認することができる。
【考案の開示】
【考案が解決しようとする課題】
【０００４】
上述したような従来のエレベータ制御システムにおいて、各種パラメータを設定する際には、外部入力装置である「メンテナンスコントローラ」を用いて、エレベータ制御用主基板に対して各種パラメータの所望のパラメータ値を入力する必要があるが、「メンテナンスコントローラ」は１つのエレベータ制御システムにつき１台しか必要としないため特注品とならざるを得ず、極めて高価な装置となり、エレベータ制御システムをコストアップさせる要因となっている。また、各種パラメータ設定を行う際には、「メンテナンスコントローラ」を外部から持ち込んで、エレベータ制御用主基板と配線によって電気的に接続する作業を行うとともに、設定が完了した後にエレベータ制御用主基板との配線を外す作業を行う必要があるため、パラメータ設定の作業性が低い。さらに、「メンテナンスコントローラ」は、エレベータ制御用主基板に対する外部入力装置であるため、エレベータ制御用主基板に対して適切な位置関係で固定配置されておらず、ディスプレイが見にくかったり各種キーが操作しにくかったりすることがあるので、パラメータ設定時の操作の自由度および操作の容易性に関して難点がある。
【０００５】
本考案は、「メンテナンスコントローラ」の機能をエレベータ制御用主基板に取り込むことにより、パラメータ設定時の操作性を向上させ得るとともにエレベータ制御システムのコストを削減し得るエレベータ制御用主基板を提供することを目的とする。
【課題を解決するための手段】
【０００６】
上記目的を達成するため、請求項１に記載の第１考案は、エレベータ制御システムに用いるエレベータ制御用主基板であって、前記エレベータ制御用主基板の端部に、各種パラメータの設定および各種エレベータ動作制御に用いるスイッチ群と、前記スイッチ群の操作時のパラメータ設定状況およびエレベータ動作状況をモニタし得るディスプレイとを設けたことを特徴とする。
【０００７】
請求項２に記載の第２考案は、前記端部は前記エレベータ制御用主基板の上端部であり、前記スイッチ群は十字状に配列した５つのスイッチから成り、前記ディスプレイは横長長方形状のＬＣＤパネルであることを特徴とする。
【０００８】
請求項３に記載の第３考案は、前記エレベータ制御用主基板は、外部機器との信号入出力インターフェース部分を外部に設けたリレー基板に移設することにより、基板サイズおよび基板内配線量を削減したものであることを特徴とする。
【０００９】
請求項４に記載の第４考案は、前記エレベータ制御用主基板は、前記ディスプレイを切り離したときは動作不能になるように構成されていることを特徴とする。
【００１０】
第１考案によれば、エレベータ制御システムに用いるエレベータ制御用主基板の端部には、各種パラメータの設定および各種エレベータ動作制御に用いるスイッチ群と、前記スイッチ群の操作時のパラメータ設定状況およびエレベータ動作状況をモニタし得るディスプレイとが設けられているので、各種パラメータを設定する際には、前記スイッチ群を操作しながら前記ディスプレイによって当該パラメータ設定状況をモニタすることが可能になり、パラメータ設定時の操作性が向上する。さらに、前記エレベータ制御用主基板に、前記スイッチ群および前記ディスプレイを搭載するだけで、従来は外部入力装置であった「メンテナンスコントローラ」の機能をエレベータ制御用主基板に取り込むことができるので、エレベータ制御システムのコストを削減し得るエレベータ制御用主基板となる。
【００１１】
第２考案によれば、前記端部は前記エレベータ制御用主基板の上端部であり、前記スイッチ群は十字状に配列した５つのスイッチから成り、前記ディスプレイは横長長方形状のＬＣＤパネルであるので、十字状に配列した５つのスイッチを予め設定した組み合わせで操作することにより各種パラメータを設定しながら当該パラメータ設定状況を前記ディスプレイでモニタする作業を前記エレベータ制御用主基板の上端部近傍で行うことができるようになり、パラメータ設定時の操作性が向上する。
【００１２】
第３考案によれば、前記エレベータ制御用主基板は、外部機器との信号入出力インターフェース部分を外部に設けたリレー基板に移設することにより、基板サイズおよび基板内配線量を削減したものであるので、前記スイッチ群および前記ディスプレイを搭載することによる基板サイズの増大を抑えて、従来と同様の基板サイズを確保しつつ、基板コストおよび基板内配線コストを削減することができる。
【００１３】
第４考案によれば、前記エレベータ制御用主基板は、前記ディスプレイを切り離したときは動作不能になるように構成されているので、このエレベータ制御用主基板を利用して「一旦設定した各種パラメータは設定変更せず、必要が生じたときのみ設定変更するような使用形態に適したエレベータ制御システム」を構成することができる。
【考案を実施するための最良の形態】
【００１４】
以下、本考案を実施するための最良の形態を図面に基づき詳細に説明する。
【００１５】
図１は本考案のエレベータ制御用主基板の構成を示す図である。本考案のエレベータ制御用主基板１は、図１に示すように、ＣＰＵ２と、シリアルインターフェース（ＲＳ−４８５）３−１〜３−３と、シリアルインターフェース（ＲＳ−２３２Ｃ）４と、インバータ用インターフェース５と、音声送出ボード用インターフェース６と、リレー基板用インターフェース７−１，７−２と、フラッシュメモリ８と、本考案の特徴的な構成要素であるスイッチ群９およびディスプレイ１０とに加えて、多数の抵抗、コンデンサ、ＩＣ等を具備して成る。上記エレベータ制御用主基板１は、例えば外形寸法＝縦２３０ｍｍ×横２５０ｍｍ×厚さ１．６ｍｍの４層基板として構成されている。なお、上記エレベータ制御用主基板１には、パラメータ設定時に使用するパスワードを設定する機能が搭載されており、パスワード設定時には当該パスワードを予め教示されたメンテナンス要員のみが後述するパラメータ設定作業を行い得るように構成されている。
【００１６】
上記ＣＰＵ２としては、例えば３２ビットＲＩＳＣプロセッサ（内蔵ＲＯＭ：２５６ＫバイトおよびＲＡＭ：４Ｋバイト）を用いる。
上記シリアルインターフェース（ＲＳ−４８５）３−１〜３−３はそれぞれ、リレー基板（後述する図２参照）、インバータ装置（図示せず）およびツーカーオペレーション装置（エレベータを複数系統設置した場合のエレベータ運行制御に用いる装置、図示せず）からの配線を接続するものである。
上記シリアルインターフェース（ＲＳ−２３２Ｃ）４は遠隔監視ボードからの配線を接続するものである。
上記インバータ用インターフェース５は、インバータ装置（図示せず）からの配線を接続するものである。
上記音声ボード用インターフェース６は、音声送出ボード（図示せず）からの配線を接続するものである。
上記リレー基板用インターフェース７−１，７−２は、リレー基板（後述する図２参照）からの配線を接続するものである。
上記フラッシュメモリ８としては、例えば１２８Ｋバイトのものを用いる。
【００１７】
次に、本考案のエレベータ制御用主基板における特徴的な構成要素であるスイッチ群９およびディスプレイ１０について詳細に説明する。
本考案のエレベータ制御用主基板１では、従来は外部入力装置として用いていた「メンテナンスコントローラ」に相当する機能を搭載するために、基板の端部、図１の例の場合は基板の上端部に、スイッチ群９およびディスプレイ１０を設けている。なお、図１に示すエレベータ制御用主基板１を１８０度回転させれば、基板の下端部にスイッチ群９およびディスプレイ１０を設ける構成とすることができる。また、図１に示すエレベータ制御用主基板１を＋９０度、−９０度回転させれば、基板の右端部、左端部にスイッチ群９およびディスプレイ１０を設ける構成とすることができるが、その場合には、ディスプレイ１０を情報表示方向も＋９０度、−９０度回転させる必要がある。
【００１８】
上記スイッチ群９は、各種パラメータの設定および各種エレベータ動作制御に用いるものであり、十字状に配列した５つのスイッチ９Ｕ，９Ｄ，９Ｒ，９Ｌ，９Ｃから成る。スイッチ９Ｕ，９Ｄ，９Ｒ，９Ｌ，９Ｃはそれぞれ、５つのスイッチを十字状に配列したときの上（９Ｕ），下（９Ｄ），右（９Ｒ），左（９Ｌ），中央（９Ｃ）の位置に配列されている。なお、スイッチ９Ｕ，９Ｄ，９Ｒ，９Ｌの近傍の基板面にはそれぞれ、上向き矢印、下向き矢印、右向き矢印、左向き矢印が記載されている。
【００１９】
上記ディスプレイ１０は、スイッチ群９の操作時のパラメータ設定状況およびエレベータ動作状況をモニタし得るものであり、本考案では、ディスプレイ１０として４行×２０文字の表示領域を有する市販品の横長長方形状のＬＣＤパネルを用いている。このディスプレイ１０は、裏面に複数本の接続ピンが形成されており、基板側に設けたソケットに前記接続ピンを嵌め込むことによって、ディスプレイ１０を基板上に支持するとともに基板上の配線パターンに電気的に接続することができる。上記ディスプレイ１０は、上記ソケットの厚み分だけ基板面から浮いた状態で基板上に支持されており、基板とディスプレイ裏面との間に形成される上記ソケットの厚み分の空間には、図示しないＲＡＭ（例えば１Ｍバイト）が搭載されている。
なお、本考案のエレベータ制御用主基板１は、ディスプレイ１０を切り離したときには動作不能になるように構成することも、ディスプレイ１０を切り離したときにも動作可能になるように構成することもできる。ディスプレイ１０を切り離したときには動作不能になるように構成した場合には、そのエレベータ制御用主基板１を利用して「一旦設定した各種パラメータは設定変更せず、必要が生じたときのみ設定変更するような使用形態に適したエレベータ制御システム」を容易に構成することができる。
【００２０】
図２は本考案のエレベータ制御用主基板を用いて構成したエレベータ制御システムに用いるリレー基板の外観を示す図面代用写真である。図２に示すリレー基板は、エレベータ制御用主基板１と外部機器（エレベータ内外に設置された機器やインバータ等）との間を中継する基板であり、従来はエレベータ制御用主基板１側に設けられていた、各エレベータとの信号入出力インターフェース（リレー等）を、エレベータ制御用主基板１の外部装置としてまとめたものである。リレー基板の上端部には、エレベータ制御用主基板１のリレー基板用インターフェース７−１，７−２と対応するインターフェース（コネクタ）が設けられており、リレー基板の内部には多数個（図示例では１３個）のリレー等が搭載されている。このリレー基板は、各階のエレベータ乗り場のそれぞれにエレベータ１系統毎に設けられた乗り場表示基板からの配線（例えば通信線２本および電源線２本から成る４線式配線）をシリアル接続するように構成されている。
【００２１】
次に、本考案のエレベータ制御用主基板を用いて構成したエレベータ制御システムにおける各種パラメータの設定作業を図３（ａ）〜（ｄ）に基づいて説明する。なお、以下のパラメータ設定は、予めパスワードを教示されたメンテナンス要員が、エレベータ制御用主基板１上のスイッチ群９およびディスプレイ１０のみを用いて行い、その際のパラメータ設定制御は、スイッチ群９からの入力信号に基づいて、ＣＰＵ２がフラッシュメモリ８内に記憶させておいた制御プログラムを動作させることにより行うものとする。
【００２２】
（１）初期画面の表示
エレベータ制御システムの電源が投入されると、ディスプレイ１０の４行×２０文字の表示領域には、図３（ａ）に例示する初期画面が表示される。
【００２３】
（２）パスワード認証
パスワードが設定されている場合、上記初期画面においてスイッチ群９の下スイッチ９Ｄを１回押下すると、パスワード入力画面が表示される。このパスワード入力画面においては、下スイッチ９Ｄを１回押下する毎に数値が１ずつ増加するので、例えば設定済みのパスワードが「８」であれば、下スイッチ９Ｄを８回押下することにより、パスワード入力値を「８」とすることができる。このようにして、パスワード入力値と設定済みのパスワードとが一致した場合に限り、パスワード認証が完了する。なお、パスワードが設定されていない場合には、直ちに下記（３）に移行する。
【００２４】
（３）設定項目の選択
上記パスワード認証が完了した後に、下スイッチ９Ｄを所定回押下することにより希望する設定項目を選択する。本実施形態のエレベータ制御用主基板１では、下スイッチ９Ｄを１回押下した場合には、手動操作（Manual Operation）画面が表示されてエレベータの手動運転制御（エレベータのかごの上昇／下降制御等）が可能になり、下スイッチ９Ｄを５回押下した場合には、図３（ｂ）に例示するベースパラメータ（Base Paemeter ）設定開始画面が表示される。
【００２５】
（４）ベースパラメータ設定画面
図３（ｂ）に例示するベースパラメータ設定開始画面においてスイッチ群９の中スイッチ９Ｃを１回押下すると、２行目の「＊＊＊ＳＴＡＲＴ＊＊＊」に起動が掛かり、図３（ｃ）に例示するベースパラメータ設定画面が表示される。このベースパラメータ設定画面の３行目の「−ＰＡＲＡＭ  ０１−」に対応する４行目の「００００００００１１」は、当該エレベータ制御システムで用いている基板の合計枚数を表わしており、図示例では１１枚に設定されている。なお、基板の合計枚数は、階床数の増減に応じて増減する。
【００２６】
（５）ベースパラメータの設定／設定変更
図３（ｃ）に例示するベースパラメータ設定画面において、設定／設定変更を希望するベースパラメータを変更する場合、まず、上スイッチ９Ｕ、下スイッチ９Ｄを操作することにより、３行目に表示されている「−ＰＡＲＡＭ  ０１−」の代わりに所望のベースパラメータ（例えば「−ＰＡＲＡＭ  ０３−」）を選択し、次に、中スイッチ９Ｃを押下することにより当該ベースパラメータをセット（確定）させる。次に、上スイッチ９Ｕ、下スイッチ９Ｄを操作することにより当該ベースパラメータのパラメータ値を設定／設定変更し、次に、中スイッチ９Ｃを押下することにより当該パラメータ値をセット（確定）させる。これにより当該パラメータ値がフラッシュメモリ８に記憶されて当該パラメータの設定／設定変更が完了して、図３（ｄ）に例示するベースパラメータ設定完了画面が表示され、次回からは設定／設定変更したパラメータ値での運用が開始される。
なお、図３（ｃ）に例示するベースパラメータ設定画面において、現在１１になっているパラメータ値を例えば１５に変更する場合、既に「−ＰＡＲＡＭ  ０１−」が選択された状態になっているので、上スイッチ９Ｕを４回押下することにより当該パラメータのパラメータ値を１５に設定変更し、次に、中スイッチ９Ｃを押下することにより当該パラメータ値１５をセット（確定）させればよい。
【００２７】
（６）他のパラメータの設定／設定変更
ベースパラメータ以外のパラメータの設定／設定変更を行う場合、図３（ｄ）に例示するベースパラメータ設定完了画面において左スイッチ９Ｌおよび右スイッチ９Ｒを同時に押下することにより、図３（ａ）に例示する初期画面に戻ることができる。以下、上記と同様にして、（３）設定項目の選択において下スイッチ９Ｄを押下する回数を変更することにより希望するパラメータの設定／設定変更を行う。
【００２８】
本考案によれば、エレベータ制御用主基板１の上端部には、各種パラメータの設定および各種エレベータ動作制御に用いる、十字状に配列した５つのスイッチ９Ｕ，９Ｄ，９Ｒ，９Ｌ，９Ｃから成るスイッチ群９と、スイッチ群９の操作時のパラメータ設定状況およびエレベータ動作状況をモニタし得る横長長方形状のディスプレイ１０とが設けられているので、５つのスイッチ９Ｕ，９Ｄ，９Ｒ，９Ｌ，９Ｃを予め設定した組み合わせで操作することにより各種パラメータを設定しながら当該パラメータ設定状況をディスプレイ１０でモニタする作業をエレベータ制御用主基板１の上端部近傍で行うことができるようになり、パラメータ設定時の操作性が向上する。また、エレベータ制御用主基板１に、スイッチ群９およびディスプレイ１０を搭載するだけで、従来は外部入力装置であった「メンテナンスコントローラ」の機能をエレベータ制御用主基板に取り込むことができるので、エレベータ制御システムのコストを削減し得るエレベータ制御用主基板となる。
【００２９】
また、本考案によれば、エレベータ制御用主基板１は、エレベータ等の外部機器との信号入出力インターフェース部分であるリレー等を外部に設けたリレー基板に移設するとともに、従来はパラレル接続されていた各階のエレベータ乗り場のそれぞれにエレベータ１系統毎に設けられた乗り場表示基板からの配線をシリアル接続に変更することにより、基板サイズおよび基板内配線量を削減（当社従来製品に対して体積比で４０％以上のコンパクト化を実現）したものであるので、スイッチ群９およびディスプレイ１０を搭載することによる基板サイズの増大を抑えて従来のエレベータ制御用主基板と同様の構造的強度および基板サイズを確保しつつ、基板コストを削減（当社従来製品に対して約２５％のコストダウンを実現）するとともに、基板内配線量を削減（当社従来製品に対して３０％以上の基板内配線量の削減を実現）して基板内配線コストを削減することができる。また、リレー等を外部に設けたリレー基板に移設することにより、壊れて交換することが多いリレーがエレベータ制御用主基板から切り離されるため、エレベータ制御システム全体のメンテナンスが容易になる。
【００３０】
さらに、本考案のエレベータ制御用主基板１は、ノイズ除去に特化したシリアル通信用ＩＣ（例えばＭＡＸＩＭ製のＭＡＸ１４８０Ｂ）を搭載することによりＥＭＩ（誘導ノイズ）を最大限カットするように構成されているため、ノイズによる誤動作を効果的に抑制することができる。
【図面の簡単な説明】
【００３１】
【図１】本考案のエレベータ制御用主基板の構成を示す図である。
【図２】本考案のエレベータ制御用主基板を用いて構成したエレベータ制御システムに用いるリレー基板の外観を示す図面代用写真である。
【図３】（ａ）〜（ｄ）は本考案のエレベータ制御用主基板を用いて構成したエレベータ制御システムにおける各種パラメータの設定作業を説明するための図である。
【図４】従来のエレベータ制御用主基板を用いて構成したエレベータ制御システムでパラメータ設定に用いる外部入力機器であるメンテナンスコントローラの構成を示す図である。
【符号の説明】
【００３２】
１  エレベータ制御用主基板
２  ＣＰＵ
３−１〜３−３  シリアルインターフェース（ＲＳ−４８５）
４  シリアルインターフェース（ＲＳ−２３２Ｃ）
５  インバータ用インターフェース
６  音声送出ボード用インターフェース
７−１，７−２  リレー基板用インターフェース
８  フラッシュメモリ
９  スイッチ群
９Ｕ  上スイッチ
９Ｄ  下スイッチ
９Ｌ  左スイッチ
９Ｒ  右スイッチ
９Ｃ  中スイッチ
１０  ディスプレイ
【図１】
0003122296.tif 000003
【図３】
0003122296.tif 000004
【図４】
0003122296.tif 000005
【図２】
0003122296.tif 000006